(57)【要約】      （修正有）【課題】携帯電話のテンキーパットはキーピッチが小さく、押下力が大きいため、高速キー入力が困難であると共に、親指入力を主体としているため、親指の負担が大きく腱鞘炎になる等の問題を防止する。【解決手段】全指でタッチタイピング入力できるノートＰＣ用キースイッチを使用したテンキ−パットに、使用頻度の高い複数個のファンクションキーを配置してなる「マトリクスキーボード」を、携帯電話のテンキーパットの上面に部分的にオーバーラップする状態にマウントする。マトリクスキーボードの出力は、メンブレンシ−トによって制御回路部に結合され、これを経由して制御回路部に設けてあるコネクターにより、携帯電話のインターフェース・リセクタブルに電気的に結合する。マトリクスキ−ボ−ドと制御回路部はそれぞれ独立したハウジングに収納され、両者の端部に設けられた軸に嵌会する穴を持つリンクを用いて、相互に回転自在に結合される。【選択図】図１
2005244913.tif 000002
【特許請求の範囲】
【請求項１】
携帯電話のテンキーパットに比較し、キーピッチとキーストロークが大きく、押下力の小さいテンキーボードが、該テンキーパットの上面にオーバーラップする状態でマウントされ、その出力コネクターは携帯電話のインターフェース・コネクターに接続されてなるキーボード。
【請求項２】
テンキ−ボ−ドはマトリクスキ−ボ−ドとインタ−フェ−ス制御回路部とによって構成され、マトリクスキーボ−ドの収納部と、インタ−フェ−ス制御回路部の収納部を、二箇所の安定点を持つリンク機構によって連結してなる請求項１のキーボード。
【請求項３】
テンキーボ−ドの操作時にはマトリクスキ−ボ−ドが携帯電話の表面にあって、携帯電話とオ−バ−ラップ部分の操作キ−を押下することはできないように配置される請求項１のキーボード。
【請求項４】
テンキーボ−ドの非操作時にはマトリクスキ−ボ−ドが携帯電話の裏面にあって、携帯電話の操作面はテンキ−ボ−ドを付加しない場合と同じように操作でき、かつ、テンキ−ボ−ドの個別のキ−を押下する力が付加されることがないように収納配置される請求項１のキーボード。
【請求項５】
テンキーボ−ドの非操作時にマトリクスキ−ボ−ドが携帯電話の裏面に収納配置された際には、テンキ−ボ−ドが携帯電話の裏面側に押し付けられて安定的に保持されるように構成した請求項１のキーボード。
【請求項６】
リンク機構内に収納されたＶ字形状その他のバネによりマトリクスキーボード端部が携帯電話の上面または下面に安定的に保持されていることにより、このキーボードを付加したままでも携帯電話としての小型、軽量、携帯性を損なわず、マトリクスキーボードの占める厚さと、回路収納部の占める長さ方向の寸法が加わるだけで済むことを特徴とする請求項１のキーボード。
【請求項７】
回路収納部の底部および両サイドが携帯電話を収納するコの字断面の箱状に延長されたハウジング部分を形成するようになっていて、携帯電話の裏面に取り付けられたマジックテープを用いて固定されるように構成されている。このことによって携帯電話のコネクターにかかる力を最小にすると同時に操作時の安定性を高めるように構成されていることを特徴とする請求項１のキーボード。
【請求項８】
マトリクスキーボードの下面にはインターフェース制御回路部と、携帯電話のテンキーパット部を収納するボックス部が形成されている請求項１のキーボード。
【請求項９】
インターフェース制御回路部は制御部とインターフェース・コネクター部に分離され、両者はフレキシブルなケーブルで接続されている。インターフェース・コネクター部の側部にはスライド部が形成され、前記ボックス部の側壁に形成されているスライド受け部と嵌め合いとなっている、請求項８のキーボード。
【請求項１０】
インターフェース・コネクター部にＬＥＤおよび受講素子を配列し、キーボードからの電気信号を光信号に変換して発信かつ受信することが可能な構成としてなる請求項８または９のキーボード。
【請求項１１】
インターフェース・コネクター部の両側には丸軸形状のボタンが形成されており、携帯電話のテンキ−パット部を収納するボックス部の側壁に備えられたスリット窓枠内で回転およびスライドが可能で、ボックス底部に取り付けられた片持ちバネが携帯電話をボックス開口部上端方向に押し付けていることを特徴とする請求項９、または請求項１０のキ−ボ−ド。
【発明の詳細な説明】
【産業上の利用分野】
【０００１】本発明は高度化する携帯電話を用いて、作業現場よりアイド業務内容を正確に速く報告するために、携帯電話の操作性をノートＰＣレベルに向上させるためのキーボード装置に関するものである。
【背景技術】
【０００２】携帯電話のテンキーパットはキーピッチが小さく、押下力が大きいため、高速キー入力が困難であると共に、親指入力を主体としているため、親指の負担が大きく腱鞘炎になる等の問題が発生している。
【発明が解決しようとする課題】
【０００３】本発明は上記従来の問題点を解決し、操作性に優れ、小型軽量で低価格であり、信頼性が高く、携帯電話に装着可能なキーボード装置を提供するものである。また、非操作時には、該キ−パッドを携帯電話の裏面側に収納して目的外の入力を防止すると同時に、外形を小さくして携帯電話と同じように持ち運びできるものを提供する。
【課題を解決するための手段】
【０００４】  本発明はかかる課題を解決するためになされたものであり、全指でタッチタイピング入力できるノートＰＣ用キースイッチを使用したテンキーパットに、使用頻度の高い複数のファンクションキーを配置してなる「テンキーボード」を、携帯電話のテンキーパットの上面にオーバーラップする状態にマウントする。キーボードの出力コネクターは、携帯電話のインターフェース・コネクター部と電気的に結合する。「テンキーボード」とこれを制御するインタ−フェ−ス部は、それぞれが別の箱状の収納部に収容されており、これら２つの収納箱は、一対の回転用リンクに結合されている。このような構成によって、「テンキーボード」を、操作時には携帯電話のテンキーパットの上面に、非操作時には携帯電話の裏面側に配置できるようにする。
【０００５】携帯電話との電気的インターフェースは文字、記号等のコードをシリアルに送信する方式であり、該コードの文字表示を携帯電話の表示部で行うための、新しいコードの送出方式（特許申請中＝特願２０００−２９３２４０）を採用した。
【発明を実施するための最良の形態】
【０００６】本発明の実施の形態について図１〜図６について説明する。
図１は本発明によるキーボード装置の外観図である。
図１ａは上面図、図１ｂは側面図、図１ｃは下面図である。
１はキースッチ群で、２はモールドハウジング、３は携帯電話とキーボードとの間を電気的に結合する回路収納部である。回路収納部３は、携帯電話のリセクタブルに結合するインタ−フェ−スコネクター４を備え、前記マトリクスキ−ボ−ドのハウジングと回転自在に連結されている。リンク５は、キ−ボ−ドのモ−ルドハウジング２と、制御回路部ハウジング３との両者にそれぞれ別に備えてある軸に嵌合して両者が回転移動できるように結合するリンクである。【０００７】キーボードは電話用キーパットの上部に、６ケのファンクションキーが配置されてなる。【０００８】図２はキーボードに携帯電話を装着した場合の外観図である。
２ａは上面図、２ｂは操作状態の側面図、２ｃは収納状態の側面図である。
図３は図２の２ｂで示した操作状態のリンク部分を示す側断面図である。
３ｂはリンク５内部に取り付けられるＶ字型バネの形状を示す概念図である。
携帯電話本体８とキーボードは、屈曲自由に装備されたメンンブレンシートによって回路部ハウジング内の電気回路を経由して、回路部ハウジングの中央部に位置するインターフェース・コネクター４により電気的に結合する。同時にキ−ボ−ドハウジング２の端部にある軸２１は、リンク５の穴５２に嵌合し、回転自在に結合している。回路部ハウジング３の端部にある軸３１もリンク５の前記とは別の穴５３に嵌合して回転自在に結合している。リンク５には穴５２および５３が設けてあり、どちらも前記軸２１、３１に嵌合してスムースな回転ができるように構成されている。軸２１、３１には、それぞれその断面の円形の一部がＶ字型バネと嵌り合うように一部削除された形状になっており、リンク５内部に取り付けられたバネ６によって押し付けられている。軸２１に対応するバネを６２、軸３１に対応するバネを６３とするが、２１と３１、６２と６３はそれぞれ全く同じ寸法形状のものでよい。ここにＶ字型バネ中央部の尖った部分が前記軸の削除部分に到達すると、この回転角度ではバネ力が゛解放され、再び円筒部分に乗り上げるには大きな力を必要とする。バネ中央部が常にリンクの中心線上の位置を保ち、かつ、乗り上げる力を緩和するために、Ｖ字型バネの両端部分は幅方向に切り欠きを備える構造にして削除部分で安定するように構成する。軸の削除部分を互いに１８０度の角度位置に設けることによって、キーボードを携帯電話の上面と裏面の２箇所で安定的に固定できる。【０００９】図４は回路収納部の底部および両サイドを延長して形成したハウジング構造３２に携帯電話を収納するようにし、その適当な位置にマジックテープ９を貼り付けて、携帯電話の裏面に貼られた相手のマジックテープと結合して強固で安定な固定を可能にする実施例を示す。キーボードを操作する場合に、樹脂製ハウジング３２の適当な位置に貼られたマジックテープ９とコネクター部で安定に固定され、キーボードは携帯電話のキーパット面に押し付けられた状態を保持する。【００１０】図５は、第二実施例のキーボードの外観図である。
５ａは上面図、５ｂは側面図、５ｃは正面図、５ｄは下面図、５ｅは５ｂに示すＡ−Ａ｀断面図である。また、５ｆはコネクター部分にＬＥＤおよび受光素子を配置した第三実施例の場合の正面図を示す。第三実施例の外観は、５ｆに示す正面図を除いて第二実施例と同じものと見なしてよい。
図６は図５の第二実施例において、携帯電話を装着した場合の外観図である。
６ａは操作時の上面図、６ｂは操作時の側面図、６ｃは非操作時の側面図である。
キーボードの底板１０を矩形筒形状とし、制御回路部を回路部１１とインターフェース・コネクター部１２とに分離した形状とし、双方をフレエキシブル・ケーブル１３で接続する。回路部は矩形筒の根元に固定され、コネクター部には矩形筒内をスライド可能なすべり面と、スライド動作力を加えるボタン部１４が形成されている。
コネクター部を回路部と反対側にスライドさせた所で、携帯電話８を装着し、奥行き方向にスライドさせて、キーボードを操作する。非操作時には、コネクター部を矩形筒開口部にスライドさせた後、携帯電話を折りたたんで携帯する。【００１１】図５ｆは前記コネクター部分にＬＥＤ１５と受光素子１６を配置して、ワイヤレス交信を可能とした第三実施例のキーボードの外観正面図である。このような構成をとることによって、相手の携帯電話に赤外線の受発信機能があれば、電気的コネクターによる直接の機械的な接続なしにキーボードからの信号を伝達できるものを提供できる。【００１２】図７は、第四実施例のキ−ボ−ドの外観図である。
７ａは上面図、７ｂは側面図，７ｃは正面図、７ｄは下面図、７ｅは７ｂに示すＡ−Ａ‘断面図である。
図８は第四実施例における携帯電話を装着した場合の外観図である。
８ａは操作時の上面図、８ｂは８ａに示すＡ−Ａ‘断面図である。
インターフェース・コネクター部の両側には丸軸形状のボタンが形成されており、携帯電話のテンキ−パット部を収納するボックス部の側壁に備えられたスリット窓枠１８内で回転およびスライドが可能で、ボックス底部に取り付けられた片持ちバネ１７が携帯電話をボックス開口部上端方向に押し付けているため、携帯電話はボックス内に安定的に固定され、キ−ボ−ドを操作する場合に安定した状態を保持できる。
【図面の簡単な説明】［図１］本発明に係わるキ−ボ−ド装置の外観図である。
［図２］携帯電話を装着した場合の外観図である。
［図３］Ａ−Ａ’におけるリンク部の部分側断面図である。
［図４］回路収納部の箱状構造を示す図である。
［図５］本考案に係わる第二実施例の外観図である。
［図６］第二実施例における携帯電話を装着した場合の外観図である。
［図７］本考案に係わる第四実施例の外観図である。
［図８］第四実施例における携帯電話を装着した場合の外観図である。
【符合の説明】
１．        キ−スイッチ群
２．        マトリクスキ−ボ−ドのハウジング
２１．      マトリクスキ−ボ−ドのハウジングに固定された回転軸
３．        制御回路部のハウジング
３１．      制御回路部のハウジングに固定された回転軸
４．        携帯電話との接続用コネクター
５．        リンク
５１．      軸２１に嵌りあうリンクの穴
５２．      軸３１に嵌りあうリンクの穴
６．        リンク内に装備されるバネ
６２．      軸２１の削除部分に嵌りあうリンク内のバネ
６３．      軸３１の削除部分に嵌りあうリンク内のバネ
８．        携帯電話
９．        回路収納部に貼られたマジックテ−プ
１０．      キ−ボ−ドの底板と一体化したハウジング
１１．      回路収納部
１２．      コネクタ−収納部
１３．      フレキシブルケ−ブル
１４．      スライド用ボタン
１５．      ＬＥＤ
１６．      受光素子
１７．      片持ちバネ
１８．      スリット窓
【図１】
2005244913.tif 000003
【図２】
2005244913.tif 000004
【図３】
2005244913.tif 000005
【図４】
2005244913.tif 000006
【図５】
2005244913.tif 000007
【図６】
2005244913.tif 000008
【図７】
2005244913.tif 000009
【図８】
2005244913.tif 000010